(57)【要約】【課題】既存のシステムに大きな変更を加えることなく、また、データ容量を増大させることなく、特定部分を隠蔽して印刷することができる画像隠蔽化システムと画像隠蔽化方法を提供する。【解決手段】画像入力装置１と、画像編集装置２と、画像出力装置３からなり、入力画像の隠蔽領域を指定して印刷出力時に隠蔽化する画像隠蔽化システムである。画像編集装置２は、隠蔽領域が指定されると隠蔽領域の画像データをＹＭＣデータで擬似的な黒データに変換する変換手段８を備え、印刷出力時に隠蔽領域の画像データが隠蔽された隠蔽化画像を作成するようにしたものである。また、画像編集装置２は、入力画像に対して画像出力装置での画像隠蔽化の可否を制御するヘッダ情報の設定手段７を備え、画像出力装置３は、入力画像と共に入力されるヘッダ情報に基づき印刷出力が制御される。【選択図】図１
2006345264.tif 000002
【特許請求の範囲】
【請求項１】
画像入力装置と、画像編集装置と、画像出力装置からなり、入力画像の隠蔽領域を指定して印刷出力時に隠蔽化する画像隠蔽化システムにおいて、
前記画像編集装置は、前記隠蔽領域が指定されると前記隠蔽領域の画像データをＹＭＣデータで擬似的な黒データに変換する変換手段を備え、印刷出力時に前記隠蔽領域の画像データが隠蔽された隠蔽化画像を作成することを特徴とする画像隠蔽化システム。
【請求項２】
前記画像編集装置は、前記入力画像に対して前記画像出力装置での画像隠蔽化の可否を制御するヘッダ情報の設定手段を備えていることを特徴とする請求項１に記載の画像隠蔽化システム。
【請求項３】
前記画像出力装置は、前記入力画像とともに入力されるヘッダ情報に基づき印刷出力が制御されることを特徴とする請求項１に記載の画像隠蔽化システム。
【請求項４】
画像入力装置と、画像編集装置と、画像出力装置からなり、入力画像の隠蔽領域を指定して印刷出力時に隠蔽化する画像隠蔽化方法において、
前記入力画像の隠蔽領域が指定されると、前記隠蔽領域の画像データがＹＭＣデータにより生成される擬似的な黒データに変換され、印刷出力時に前記隠蔽領域の画像データが隠蔽された隠蔽化画像とすることを特徴とする画像隠蔽化方法。
【請求項５】
画像入力部と、画像編集部と、画像出力部からなり、入力画像の隠蔽領域を指定して印刷出力時に隠蔽化する画像形成装置において、
前記画像編集部は、前記隠蔽領域が指定されると前記隠蔽領域の画像データをＹＭＣデータで擬似的な黒データに変換する変換手段を備え、印刷出力時に前記隠蔽領域の画像データが隠蔽された隠蔽化画像を作成することを特徴とする画像形成装置。
【発明の詳細な説明】
【技術分野】
【０００１】
本発明は、ドキュメントデータを複写印刷するに際して、特定部分を隠蔽して印刷する画像隠蔽化システム及び画像隠蔽化方法に関する。
【背景技術】
【０００２】
従来、電子文書等によって作成されたドキュメントを複写印刷する場合に、ドキュメントのうちの一部を隠蔽して印刷したい場合がある。このような場合、ドキュメントの原本データのうちの隠匿したい部分を、マスクデータで覆って（例えば、黒塗りする形態）印刷する方法が知られている（例えば、特許文献１参照）。また、ドキュメントのベース画像に対して、隠匿したい隠匿情報を符号化して不可読の形態で記録しておき、ユーザ識別情報によって隠匿情報を復号して読取可能な状態で印刷されるようにする方法もある（例えば、特許文献２参照）。
【０００３】
上記のような隠蔽部分を不可読にするマスクデータや隠蔽情報を、ドキュメントのベース画像に追加、修正する画像編集には、例えば、複数のレイヤーを用いて画像情報を管理する方法がある（例えば、特許文献３参照）。また、大容量の画像データを修正して編集するような場合に、データの送信時間の短縮をはかるために、修正前の画像と修正後の画像の差分データで通信を行ない、プリントシステムの通信負荷を軽減する方法も知られている（例えば、特許文献４参照）。
【特許文献１】特開２００２−２０７７２５号公報
【特許文献２】特開平１０−１２６６０７号公報
【特許文献３】特開平１１−１９５０３３号公報
【特許文献４】特開平１０−２７０２４号公報
【発明の開示】
【発明が解決しようとする課題】
【０００４】
ドキュメントの一部を部分的に隠蔽するのに、画像処理を用いて行なうことは、既に上記の特許文献１又は特許文献２に提案されている。特許文献１においては、ドキュメントの原本であるベース画像と、該ベース画像の特定部分を隠蔽するマスク画像とをそれぞれ格納しておき、これを合成して隠蔽化画像とし、さらにフォーマット変換により隠蔽部分のベース画像が残らないようしている。また、特許文献２においても、ベース画像と符号化された画像（隠蔽情報）とを合成して隠蔽化画像とし、必要に応じてユーザ識別情報を入力することにより隠蔽情報を復元して隠蔽が解除された画像が得られるようにしている。
【０００５】
いずれの場合も、隠蔽する部分をマスクするか或いは符号化して、不可読状態としているが、このためのマスクデータや符号化データを格納する収納手段、ベース画像との合成手段等が必要となり、既存のシステム環境を変更するものである。また、これらの処理を効果的に実現するための特許文献３（画像のレイヤー管理）においては、隠蔽部分が複数レイヤーにわたる場合は、データ容量が増大してしまう。特許文献４（差分データによる送受信）においても、従来のシステムのままでは対応が不可能である。したがって、上記したような画像隠蔽化システムを導入するには、新たなシステム環境や新規構築が必要とされる。
【０００６】
本発明は、上述した実情に鑑みてなされたもので、既存のシステムに大きな変更を加えることなく、また、データ容量を増大させることなく、特定部分を隠蔽して印刷することができる画像隠蔽化システムと画像隠蔽化方法の提供を課題とする。
【課題を解決するための手段】
【０００７】
本発明による画像隠蔽化システムは、画像入力装置と、画像編集装置と、画像出力装置からなり、入力画像の隠蔽領域を指定して印刷出力時に隠蔽化する画像隠蔽化システムである。画像編集装置は、隠蔽領域が指定されると隠蔽領域の画像データをＹＭＣデータで擬似的な黒データに変換する変換手段を備え、印刷出力時に隠蔽領域の画像データが隠蔽された隠蔽化画像を作成するようにしたものである。また、画像編集装置は、入力画像に対して画像出力装置での画像隠蔽化の可否を制御するヘッダ情報の設定手段を備え、画像出力装置は、入力画像とともに入力されるヘッダ情報に基づき印刷出力が制御される。
【発明の効果】
【０００８】
本発明によれば、ドキュメント等の画像データの隠蔽したい部分を、ＹＭＣデータによる擬似的な黒データに変換することにより、通常のカラーデータとして管理することが可能となり、隠蔽化のためのデータ構造を単純化することができる。これにより、システムに大掛かりな変更を加えることなく、ドライバで吸収できる程度の変更で、画像の隠蔽化処理を容易に実現することができる。また、画像データのヘッダ情報として、印刷モード（カラーモード／モノクロモード）を設定することにより、画像の隠蔽化処理のオン／オフ、印刷枚数の制御を簡単に行なうことができる。
【発明を実施するための最良の形態】
【０００９】
図により本発明の概略を説明する。図１は本発明の概略を説明するブロック図、図２は動作形態を説明する図である。図中、１は画像入力装置、２は画像編集装置、３は画像出力装置、４は画像受信部、５ａは表示部、５ｂは画像記憶部、６は領域指定部、７はヘッダ設定部、８はＹＭＣ変換部、９はＫ変換部、１０はドキュメント原稿、１１は隠蔽部データ、１２はＹＭＣ生成黒データ、１３はＫ生成黒データ、１４は非隠蔽化画像、１５は隠蔽化画像を示す。
【００１０】
本発明による画像隠蔽化システムは、スキャナ等で読取ったドキュメント原稿の隠したい部分を指定することにより、その部分を隠蔽して印刷するものである。具体的には、図１に一例として示すように、画像入力装置１で入力されたドキュメント原稿等の画像データを画像編集装置２で、修正或いは隠蔽部分を指定するなどの編集を行ない、画像出力装置３で修正或いは隠蔽化されたドキュメントで印刷出力するものである。なお、画像入力装置１は、例えば、画像文書を読取るスキャナ、または、ＦＤディスクやＣＤ−ＲＯＭ等に入れられた電子文書を読み出すドライブである。
【００１１】
画像編集装置２は、画像入力装置１で読取られたドキュメント原稿の画像データ（ＲＧＢデータ）を画像受信部で受取り、表示部５ａに編集のために表示する。画像編集装置２には、受信により入力された画像データの隠蔽領域を指定する領域指定部６と、画像データを記憶する画像記憶部５ｂと、画像データの属性を示すヘッダ情報を設定するヘッダ設定部７を有している。ユーザは、領域指定部６により、ドキュメント原稿の隠蔽しようとする範囲を隠蔽部分として自由に指定することができる。また、ヘッダ設定部７により、隠蔽化画像又は非隠蔽化画像のモード設定や、それらの印刷枚数等を設定することができる。
【００１２】
また、画像編集装置２は、入力された画像データに対して隠蔽領域が指定されると、指定された隠蔽領域を、カラー画像印刷用のＹ（イエロー）、Ｍ（マゼンダ）、Ｃ（シアン）により生成される擬似的な黒色画像に変換するＹＭＣ変換部８を備える。さらに、隠蔽領域に指定されなかったその他の部分を、白黒（グレースケール）画像用のＫ（ブラック）に変換するＫ変換部９を備える。画像編集装置２で画像データを前記のように編集した後、画像データは画像出力装置３に送信され、隠蔽化画像ドキュメント又は非隠蔽化画像ドキュメントとして印刷される。
【００１３】
図１の画像入力装置、画像編集装置、画像出力装置からなるシステム以外に、図７に示すように画像入力部２１、画像編集部２２、画像出力部２３を一体化して１つの画像形成装置２０として実現することもできる。画像形成装置２０は、具体的には画像入力部２１としての原稿読取部、画像編集部２２、画像出力部２３としての印刷部を備えたカラーコピー機等が想定される。
【００１４】
本発明による画像隠蔽化の動作状態は、図２に示すように、複写印刷されるドキュメント原稿１０が、光学的なＲＧＢデータで読取られる。この読取られたドキュメント原稿１０に対して、印刷されるのを隠したいと思う隠蔽部データ１１を指定する。また、このときに、隠したい隠蔽データを追加することもできる。隠したい部分の隠蔽部データ１１が指定されると、この隠蔽部データ１１は、カラー印刷で擬似的な黒色を生成するＹＭＣ生成黒データ１２に変換される。この隠蔽部データ１１以外の他の部分は、カラー印刷で白黒（グレースケール）を生成するＫ生成黒データ１３に変換される。
【００１５】
上述のように変換されたドキュメント原稿は、カラーモード（ＹＭＣＫ）で印刷を実行することにより、ＹＭＣの黒データに変換されている隠蔽部データ１１は、そのまま印刷され、非隠蔽化画像１４のドキュメントで印刷される。すなわち、ドキュメント原稿１０をそのままの状態で印刷することができる。しかし、モノクロモード（Ｋ）で印刷を実行することにより、ＹＭＣデータによる擬似的な黒データに変換されている隠蔽部データ１１は印刷されないため、隠蔽化画像１５のドキュメントとして印刷することができる。
【００１６】
本発明の実施形態として、図３に示すように、「スキャナ入力→パソコン（ＰＣ）で受信→パソコンからプリント要請→複写機で印刷」という使用形態を想定することができる。この場合、スキャナでＲＧＢデータとして読取った画像データを、印刷のためにＹＭＣＫデータに変換するのは、従来と同様にドライバと複写機本体で行なうことが考えられる。ここで、ドライバとは、パソコン等の表示画面に表示された文字や画像を複写機で印刷可能なデータに変換して印刷機に伝えるなどの制御を行なうソフトウエアであるが、本発明による画像隠蔽化システムでは、ドライバのみでの対応が可能である。
【００１７】
上記の「パソコンで受信→パソコンからプリント要請」には、パソコンで受信した画像のＲＧＢデータに対して隠蔽化を行ないたい隠蔽部分を指定し、それに対応したＹＭＣＫデータを生成して複写機に送信するという処理フローが求められる。
図４は、この処理フローの一例を示す図で、アプリケーションが行なう処理とドライバが行なう処理とで構成される。アプリケーションではユーザインターフェイスに含まれる処理を受け持ち、ユーザから受信したドキュメント原稿の隠蔽すべき部分を指定するなどの処理を行なっている。他方、ドライバは、画像データの変換処理を受け持ち、ＲＧＢデータからＹＭＣＫデータへの変換を行なう。
【００１８】
先ず、アプリケーションの処理として、スキャナで読取られたドキュメント原稿に対して、ユーザから隠蔽部が指定されるのを待つ状態が表示される（Ｓ１）。次いで、ユーザが隠蔽して印刷したい隠蔽部分を指定する（Ｓ２）。数ヶ所の特定領域を指定、或いは、新たな追記を行なって編集処理を終了する（Ｓ３）。
【００１９】
この後、ドライバの処理として、先ず、隠蔽された隠蔽部のデータが、ＹＭＣの色データで生成する擬似的な黒データとなるように変換する処理が行なわれる（Ｓ４）。その他の隠蔽化しない部分については、Ｋ（ブラック）データで生成するグレースケールデータとなるように変換する処理が行なわれる（Ｓ５）。なお、（Ｓ４）と（Ｓ５）は、順序が逆の（Ｓ５）→（Ｓ４）であってもよい。このとき、ドキュメント原稿を隠蔽化画像で印刷するか（モノクロモードで印刷）、非隠蔽化画像で印刷するか（カラーモードで印刷）、隠蔽化画像と非隠蔽化画像の両方を印刷する（ミックス印刷）、並びにそれらの印刷枚数等をヘッダ情報として付加する処理がおこなわれる（Ｓ６）。この後、上述の画像データとヘッダ情報を複写機に送信して（Ｓ７）、パソコン側での処理が終了となる。
【００２０】
図５，図６は、上述したフロー処理の具体例を説明する図である。例えば、図５に示すように、変換されているモノクロの画像データの隠蔽化で、上から１列目（２５０）と３列目（２０）および７列目の画素（０）の画素に対して隠蔽化を指定するものとする。画像データの画素は、パソコンで受信したときにＲＧＢデータからＹＭＣＫデータに変換され、モノクロの場合、図５に示すように、画像データの全てがＫ（ブラック）で生成されるように変換される。
【００２１】
次に、図６に示すように、隠蔽化しようとする１列目の画素（２５０）と３列目の画素（２０）および７列目の画素（０）をＹＭＣデータで生成される擬似的な黒データに対応させる。すなわち、この１列目と３列目の画素部分を全て、ＹＭＣのＭａｘ（２５５）で黒データに変換する。７列目の画素（０）はＹＭＣの「０」とする。その他、隠蔽化領域として指定されなかった画素部分は、画像の有無と濃度に応じて、Ｋデータで生成されるグレースケールデータに変換する。
【００２２】
このように変換することにより、画像のある箇所（１列目、３列目の画素）はＹＭＣデータで生成される擬似的な黒データとなり、モノクロモードでは再現されず隠蔽化される一方、カラーモードで再現される。画像の無い箇所(７列目の画素)はモノクロモードでもカラーモードでも再現されないため、アプリケーションで隠蔽化を指定した領域の中で、画像のある箇所がカラーモードで可視化される。
【００２３】
ヘッダ情報としては、上述したように印刷対象とする複写機で使用可能なプリント言語の特性を示す情報が含まれているが、この他に、モノクロモード（隠蔽化画像）の印刷枚数、カラーモード（非隠蔽化画像）の印刷枚数を入れることができる。２種類の画像を１枚ずつ印刷したい場合は、ヘッダ情報の各フィールドに「１」をセットすればよい。また、隠蔽化画像と非隠蔽化画像の両方を同時に印刷するミックス印刷を行なうことも可能である。
【００２４】
隠蔽化する部分が複数回にわたって指定される場合であっても、その都度、ＹＭＣデータで生成される擬似的な黒データに変換されるようにしておけばよい。この場合、ドライバでＹＭＣＫデータに変換でき、指定された隠蔽部分は色データで管理されるため、隠蔽部分が複雑に入り組んでいたりしても、これによってデータ量が増加することはない。また、隠蔽化未対応機種で印刷する場合でも、モノクロモード又はカラーモードで必要枚数分だけ印刷要請すればよいので、問題なく利用することができる。
【００２５】
また、「パソコンからプリント要請→複写機で印刷」には、複写機が特別な処理を行なう必要がなく、ドライバからの指示どおりに、モノクロモード印刷又はカラーモード印刷で指定枚数分の印刷を行なえばよい。すなわち、パソコンがら送信されたＹＭＣＫ形式の画像データをもとに、複写機の画像形成装置が出力可能なデータを形成し、ヘッダ情報に基づいて印刷する。例えば、隠蔽化された画像で印刷する場合は、ヘッダのモノクロモードで指定されている枚数を参照して、その枚数を印刷する。他方、隠蔽化されない画像を印刷する場合には、カラーモードで指定されている枚数を参照してその枚数を印刷する。
【００２６】
本発明ではドキュメント原稿を印刷する際の隠蔽化処理として、ドライバを更新するだけで、格別の環境変更を行なう必要がない。複写機はドライバから転送されてくるヘッダ情報に基づきモノクロモードもしくはカラーモードに動作モードが設定され、設定された動作モードで画像データを出力するだけで隠蔽化を実現することができる。なお、ミックス印刷を行なうような場合であっても、ヘッダ情報に含まれるモノクロモードの印刷枚数とカラーモードの印刷枚数を受け付けてそれぞれのモードで印刷する制御を複写機のファームウエアに組込めばよく、ファームウエアのバージョンアップのみで対応が可能となる。さらにコピー時にこのような隠蔽化処理を実現する場合には、前述のアプリケーションとドライバの行う処理と同様の処理を複写機のファームウエアとして設けることによって実現させることができる。
【図面の簡単な説明】
【００２７】
【図１】本発明の概略を説明するブロック図である。
【図２】本発明の動作形態を説明する図である。
【図３】本発明の実施形態の一例を説明する図である。
【図４】本発明の実施形態による画像隠蔽化の処理フローの一例を示す図である。
【図５】本発明の具体例における隠蔽化指定前の画像データを示す図である。
【図６】本発明の具体例における隠蔽化指定後の画像データを示す図である。
【図７】本発明の他の実施形態を説明する図である。
【符号の説明】
【００２８】
１…画像入力装置、２…画像編集装置、３…画像出力装置、４…画像受信部、５ａ…表示部、５ｂ…画像記憶部、６…領域指定部、７…ヘッダ設定部、８…ＹＭＣ変換部、９…Ｋ変換部、１０…ドキュメント原稿、１１…隠蔽部データ、１２…ＹＭＣ生成黒データ、１３…Ｋ生成黒データ、１４…非隠蔽化画像、１５…隠蔽化画像、２０…画像形成装置、２１…画像入力部、２２…画像編集部、２３…画像出力部。
【図１】
2006345264.tif 000003
【図２】
2006345264.tif 000004
【図３】
2006345264.tif 000005
【図４】
2006345264.tif 000006
【図５】
2006345264.tif 000007
【図６】
2006345264.tif 000008
【図７】
2006345264.tif 000009